(57)【要約】【課題】介護を必要とするおむつ着用要介護者が意識してまたは無意識に手をおむつに入れ、排泄物を散乱してしまう事を防ぎ、介護する側，される側の労力を助け、時間をかけずに楽にできる要介護者用着衣を提供する。【解決手段】  本考案による要介護者用着衣１は、胴部２が筒状の着衣であって、股間に相当する位置で前後に三角状で垂下する裾部分３，４を有し、少なくとも頭部，上肢，下肢を出して要介護者に被着させることができる。おむつを着用させた上から、前記裾部分３，４を股間に相当する位置で結ぶ。これにより、要介護者が被着状態から自ら脱衣が困難でかつ、おむつに手先を挿入不能にしたことを特徴とする要介護者用着衣である。【選択図】図１
0003150550.tif 000002
【実用新案登録請求の範囲】
【請求項１】
胴部が筒状の着衣であって、
股間に相当する位置で前後に三角状で垂下する裾部分を有し、
少なくとも頭部，上肢，下肢を出して要介護者に被着させることができ、
おむつを着用させた上から、前記前後に三角状で垂下する裾部分を股間に相当する位置で結ぶことにより、要介護者が被着状態から自ら脱衣が困難でかつ、おむつに手先を挿入不能にしたことを特徴とする要介護者用着衣。
【請求項２】
請求項１記載の要介護者用着衣において、
前記着衣の肩部は、前および後に設けた肩紐により締結されるか、または前後一体に連結されている肩部のいずれかであり、
前記着衣の布地は、綿，綿にポリエステル混紡の何れかであり、
前記着衣の首部は、丸首，襟付きの何れかであり、
前記着衣の袖部は、袖無し，半袖，長袖の何れかであることを特徴とする要介護者用着衣。
【考案の詳細な説明】
【技術分野】
【０００１】
本考案は、認知症や寝たきりの重度の要介護者等に対して、介護を能率良く行うために、簡単に着脱可能な要介護者用着衣に関する。
【背景技術】
【０００２】
重度の要介護者等の在宅介護が増えている。要介護者がおむつを着用している場合、嫌悪感からまたは無意識に、おむつを手でずらしてしまうことがあり、寝巻や寝具を汚してしまうことが日常的に起きている。
その汚れた寝巻や寝具を洗濯することは、介護者にとって、精神的肉体的な大きな負担となっている。
そのため、不本意であるがおむつに手指が入らないよう、ベットに要介護者の手を縛りつけたりするなどして、要介護者の自由を束縛したりすることがあり、介護の質を著しく低下させざるを得ないと言う問題があった。
【０００３】
そこで、肩部に掛かる箇所を前後方向に着脱自在とし、裾部には股間に相当する位置に前後対称に各２本の紐の一端を縫着したランニングシャツ形の筒状胴衣本体の下腹部分に結び目カバーを取り外し自在に装着したことを特徴とする介護用おむつ保持着が考案されている（特許文献１）。
この考案は、介護を必要とするおむつ着用要介護者が無意識に手指をおむつに差し込み排泄物を散乱させることを防止し要介護者自身の清潔保持及び介護者の労力減少を計ることを目的とするものであるが、ファスナーやボタンが取り付けられており、要介護者が寝返りなどで動いた時に、皮膚を傷つけたり、おむつを保持する部分も、紐のような細い物であるため、食い込む恐れがある。
また、要介護者がファスナーをいじる事により、手を傷つけたり、ファスナーを壊してしまったり、ボタンをいじる事により、ボタンが取れたり、ボタンの穴が大きくなり外れやすくなってしまう恐れもある。
【０００４】
そして、家事用“サロンエプロン”を基に、前身頃中心部に、布テープを縫い付け、ボタンを付け、後ろ身頃左右に二重ゴムを縫い付け、その左右の二重ゴムを前ボタンに掛けられるようにして、加えて、後ろ中央部に平面ファスナーを縫い付ける。被介護者は、エプロンをパジャマに重ね着することにより、下着やオムツに手を入れることができなくなり、容易に着脱ができるエプロンが考案されている。（特許文献２）
この考案も、ファスナーやボタンが取り付けられており、要介護者の皮膚を傷つけたり、外れたりする恐れがある。
【先行技術文献】
【特許文献】
【０００５】
【特許文献１】実用新案登録第３０１３８６５号公報
【特許文献２】実用新案登録第３１３８０１８号公報
【考案の概要】
【考案が解決しようとする課題】
【０００６】
この改善策として、要介護者のおむつや汚物への接触を防止し、介護者，要介護者双方にとって、労力，ストレスを減らすように楽に着脱可能な介護用肌着の考案が望まれる。
本考案の目的は、要介護者が自ら脱衣することを不可能にするとともに、おむつや汚物への接触を困難にし、介護者としては衣服の着脱やおむつの交換が容易となる要介護者のための着衣を提供することにある。
【課題を解決するための手段】
【０００７】
前記目的を達成するために、本考案による要介護者用着衣は、胴部が筒状の着衣であって、股間に相当する位置で前後に三角状で垂下する裾部分を有し、少なくとも頭部，上肢，下肢を出して要介護者に被着させることができ、おむつを着用させた上から、前記前後に三角状で垂下する裾部分を股間に相当する位置で結ぶことにより、要介護者が被着状態から自ら脱衣が困難でかつ、おむつに手先を挿入不能にしたことを特徴とするものである。
本考案による請求項２記載の要介護者用着衣は、請求項１記載の要介護者用着衣において、前記着衣の肩部は、前および後に設けた肩紐により締結されるか、または前後一体に連結されている肩部のいずれかであり、前記着衣の布地は、綿，綿にポリエステル混紡の何れかであり、前記着衣の首部は、丸首，襟付きの何れかであり、前記着衣の袖部は、袖無し，半袖，長袖の何れかであることを特徴とするものである。
【考案の効果】
【０００８】
本考案の要介護者用着衣は、筒状に胴部を形成し、着衣の裾部を股の下で結ぶことにより、おむつの中に要介護者の手先が行かないようにして、おむつのずれや汚物の散乱を防止できる。
そのため、汚れた寝巻や寝具を洗濯する機会を減らし、介護者にとって、肉体的，精神的苦痛が軽減される。
衣服の一部（裾部）の一箇所を結ぶだけでよく、肩部から袖部にかけて前後に分離可能で、紐を結び着脱するため、頭部からも脚部からも、簡単に着脱可能であり、在宅での介護を楽にする。
裾部を結ぶだけなので、要介護者の脚股の長さや太さに応じて調節する事ができるから、サイズの異なる要介護者用着衣を複数用意する必要がない。
綿のような柔軟な布で要介護者用着衣を形成でき、おむつを保持するために衣服の一部を使用し、筒状に胴部を形成しているため、細い紐のような物を用いる必要がないので、食い込む不快感を与えない。
また、ファスナーやボタン，ホック，マジックテープ(登録商標）等を一切使用していないので、要介護者の皮膚を傷つける恐れが無く、着用時の肌触りが良いので、不快感を与えない。
シンプルな構成であるため、加工も簡単で安価である。
以上のようにして介護者、要介護者双方にとって、労力，ストレスを溜めずに楽に質の高い介護環境を提供することができる。
【図面の簡単な説明】
【０００９】
【図１】図１は本考案の要介護者用着衣の一実施例を示す正面図である。
【図２】図２は本考案の要介護者用着衣の裾部分をつなぎ合わせるための結び方の一実施例を示す詳細説明図である。
【図３】図３は本考案の要介護者用着衣をパジャマの上から着用させた状態を示す正面図である。
【図４】図４は本考案の要介護者用着衣を着用させたまま、おむつを交換する状態の一実施例を示す正面図である。
【考案を実施するための形態】
【００１０】
以下図面等を参照して本考案による要介護者用着衣の実施形態を詳細に説明する。
図１は、本考案による要介護者用着衣の概略正面図である。同図に示すように、本考案の着衣１の外形形状は、袖を有しない１枚のジャンパ−スカ−ト形状である。
襟元（首部９）は前身ごろをＵ首にして、首に負担がかからないようになっている。肩部分（肩部７，８）から袖部分（袖部５，６）にかけて、前後に分離可能で紐（肩紐７ａと８ａ，７ｂと８ｂ）を結び着脱するようになっているので、楽に着用できる。
これにより、頭部から被せるだけでなく、脚部からも着用させることができる。
裾部分（裾部３，４）は、前，後身ごろとも三角状で股間辺りに垂下してあり、前（裾部３），後（裾部４）三角状の裾部分をおむつの上から結ぶことにより、要介護者は結び目を解けず、おむつの内部にも手先を挿入出来ないので、おむつのずれ等を防止して、衣類を清潔に保つことができる。
【００１１】
着衣１の製作上の形状，寸法等について説明する。
着衣１の全長（Ａ）は１００ｃｍ、バストライン（Ｅ）は５１ｃｍ、胴部２の長さ（Ｂ）は４６ｃｍを標準（Ｍサイズ）とする。
胴部２は、筒状につながっている。要介護者の手先の挿入を阻止するためである。
胴部２の長さ（Ｂ）を調節することにより、Ｓサイズ，Ｌサイズを製作することができる。
首部９は、前身ごろのみを、Ｕライン（Ｉ）に沿って１９ｃｍ，幅（Ｊ）１８ｃｍとする。
肩紐７ａ，７ｂ，８ａ，８ｂは、肩部７の左右上端に肩紐７ａ，７ｂが、肩部８の左右上端に肩紐８ａ，８ｂが形成されており、計８本で、長さ（Ｇ）は約１３ｃｍ，幅（Ｈ）は１．５〜３ｃｍとする。幅は太くすることが可能である。
なお、肩紐は、袖部５，６の袖ぐり（Ｆ）に沿って、袖ぐりを包むように縫い付け、前後に１本でつながった状態で肩紐（７ｂと８ｂ）を構成している。
また、首部９の前身ごろＵライン（Ｉ），後身ごろ幅（Ｊ）に沿って、同様の状態で肩紐が構成されている。
袖部５，６は、袖ぐり（Ｆ）２４ｃｍとする。
肩部７，８と袖部５，６は、バストライン（Ｅ）まで、前後に分離可能になっている。
股間前後に三角状で垂下する裾部（三角部分）３，４は、三角斜側面（Ｃ）４２ｃｍ，幅（Ｄ）５６ｃｍとする。
【００１２】
着衣１の材質について説明する。
着衣１の布地は、綿にポリエステル混紡が望ましく、綿ニット素材を用いても良い。
肩紐も同じ布地とする。
綿とポリエステルを混紡することで、軽く，洗濯・乾燥等に優れた材質になっている。
冬には、保温性・吸湿性に優れるフリースの布地でも良い。
【００１３】
介護者は、要介護者におむつを正常に当てがい、肌着を着せた後、本考案の要介護者用着衣１を要介護者の頭部または脚部から身体を差し込むように着用し、肩紐７ａと８ａ，肩紐７ｂと８ｂをそれぞれ結ぶ。
実施例では肩紐を用いているが、この部分は通常要介護者が自分でほどいたりすることができない部分であるから、肩紐を用いても支障はない。
比較的重度でない要介護者の場合は、肩部がつながっている着衣を使用しても良い。
その後、裾の三角部分３，４で前後に合わせて、要介護者の脚股の長さや太さに応じて、股間内側で本結び（図２）にする。図において結びの状態の理解を容易にするために後身ごろの三角部分４を黒にして示してある。
図２に示す結び方は、つなぎ合わせの結び方で、もっとも基本的であり、強く引っ張っても、外れることはない。また、どんなに固く結んでも、解くコツ（両方の結び目の腹、３ａ，４ａをつまんで外側に引く）を知っていれば簡単な操作でほどく事ができる。
この結び方は、救急時の包帯や三角巾の締結や、風呂敷等を結ぶ時にも使用される。
そのために、要介護者が強引に引っ張っても外れず、ほどく事ができない。一方、介護者が結んだり、ほどく時は素早く簡単に出来る。
【００１４】
本考案の要介護者用着衣を着用させた状態を図３に示す。結び目をやや誇張して示してある。
同図に示すように、おむつを当てた上からパジャマ１０を、その上から要介護者用着衣１を被着し、肩紐７ａと８ａ，肩紐７ｂと８ｂを結び、股間部分で前後の三角状の垂下部分（裾部３，４）で本結びにした状態である。
このことにより、要介護者がおむつに手を入れようとしても挿入できず、ほどこうとして引っ張ってもほどけないので、おむつのずれ等を防止することができる。
肩紐の結び方も裾部と同じように、本結びにすることが好ましい。
また、胴部２は、筒状につながっているため、脇等からの手の挿入も防止できる。
結び目は太いので、介護者がおむつを替える時には、簡単にほどく事ができる。
【００１５】
本考案の要介護者用着衣を着用させたまま、おむつを交換する状態を図４に示す。
同図に示すように、おむつ１１を替える時に、要介護者が意図して妨害行為にでることがあり手で邪魔などをされる場合は、着衣１を着せたまま、腕を胸で交差させて、裾部３で腕を包み込むと、楽に取り替える事ができる。
介護者がおむつを替える時には、結び目を簡単にほどく事ができ、着衣１を着せたまま、要介護者の手で邪魔されずに、おむつを替える事ができるので、楽に取り替える事ができる。
【００１６】
（変形例）以上詳しく説明した実施例について、本考案の範囲内で種々の変形を施すことができる。
実施例における形状，寸法について説明したが、これに限定されるものではなく、着用者の身体の体格（身長，胸囲，ウエスト等）や男女の差によって異なるものである。
男女の用途により色柄を使い分けても良い。
肩部分が分離可能で肩紐を結び着脱する例を説明したが、当初から縫い付けられる等して、肩部分がつながっているものを使用しても良い。
袖の無い筒状の着衣の例を説明したが、その他に、半袖，長袖等適宜変更可能である。  襟元は、襟付きであっても良い。
今回は、パジャマの上から要介護者用着衣を着用する例を示したが、肌着や服の上から着用しても良く、要介護者用着衣の上から衣服を着用することも可能である。
また、通常はパジャマ等の上から着用するが、一枚のみで着用しても良い。
【産業上の利用可能性】
【００１７】
本考案による要介護者用着衣は以上の用に構成されているから、病院、介護施設、自宅での介護作業に広く利用する事ができる。
また部品を一切使用する事がなく、高度の作業が要請される事はないから、小規模の縫製施設で容易に製造する事ができる。
【符号の説明】
【００１８】
１  着衣（要介護者用着衣）
２  胴部
３，４  裾部（三角部分）
５，６  袖部              
７，８  肩部
７ａ，７ｂ，８ａ，８ｂ  肩紐
９  首部
１０  パジャマ
１１  おむつ
【図１】
0003150550.tif 000003
【図２】
0003150550.tif 000004
【図３】
0003150550.tif 000005
【図４】
0003150550.tif 000006